(57)【要約】【課題】極めて衛生的であり、かつトイレ装置の意匠性を向上させることが可能な便座装置、および便座装置を備えたトイレ装置を提供する。【解決手段】本発明の便座装置１は、便器本体５に対して前後方向に移動可能な便座２と、便座２の移動を規制する規制部４と、を備え、便座２は、便座２の先端２ｂが便器本体５の先端と一致するように、または便器本体５の先端よりも前方に突出するように前方向に向かって移動し、規制部４は、便座２の先端２ｂが便器本体５の先端と一致した状態、または便器本体５の先端よりも前方に突出した状態を維持可能に便座２の移動を規制する。【選択図】図３
2019170537.tif 000002
【特許請求の範囲】
【請求項１】
便器本体に対して前後方向に移動可能な便座と、
前記便座の移動を規制する規制部と、を備え、
前記便座は、前記便座の先端が前記便器本体の先端と一致するように、または前記便器本体の前記先端よりも前方に突出するように前方向に向かって移動し、
前記規制部は、前記便座の前記先端が前記便器本体の前記先端と一致した状態、または前記便器本体の前記先端よりも前方に突出した状態を維持可能に前記便座の移動を規制することを特徴とする便座装置。
【請求項２】
非使用時において、前記便座の前記先端は、前記便器本体の前記先端よりも後方に位置し、
使用時において、前記便座の前記先端は、前記便器本体の前記先端と一致する、または前記便器本体の前記先端よりも前方に位置する請求項１に記載の便座装置。
【請求項３】
便蓋をさらに備え、
非使用時において、前記便蓋の先端は、前記便器本体の前記先端と一致し、
使用時において、前記便座の前記先端は、前記便器本体の前記先端と一致する請求項１または２に記載の便座装置。
【請求項４】
請求項３に記載の便座装置と、
前記便蓋および前記便座の下方に設けられた前記便器本体と、を備えるトイレ装置。
【請求項５】
便蓋をさらに備え、
前記便座の前後方向への移動が前記便蓋の回動動作と連動する請求項１または２に記載の便座装置。
【請求項６】
請求項５に記載の便座装置と、
前記便座装置の側方に設けられたカウンター部と、を備え、
前記カウンター部の上面は、前記便蓋が閉じている状態において、前記便蓋の上面と面一であるトイレ装置。
【請求項７】
請求項５に記載の便座装置と、
前記便座装置の側方に設けられたカウンター部と、を備え、
前記カウンター部の前面は、前記便蓋が閉じている状態において、前記便蓋の前面と面一であり、
前記便座の前記先端は、前記便蓋が開いている状態において、前記カウンター部の前記前面よりも前方に突出しているトイレ装置。
【発明の詳細な説明】
【技術分野】
【０００１】
本発明は、便座装置および便座装置を備えたトイレ装置に関する。
【背景技術】
【０００２】
従来から、便器に対して回動動作が可能な便座を備えたトイレ装置が知られている。例えば、特許文献１には、便座または便蓋を自動で開閉させる駆動機構を備えたトイレ装置が記載されている。
【先行技術文献】
【特許文献】
【０００３】
【特許文献１】特開２０１２−４５２７２号公報
【発明の概要】
【発明が解決しようとする課題】
【０００４】
トイレ装置の意匠性を向上させるために、例えば特許文献１に記載されたトイレ装置のように便蓋の先端と便器の先端とが略一致したものが提案されている。
一方で、特許文献１では、便蓋の先端と便器の先端とが略一致する構成を採用しているため、便蓋によって覆われる便座の先端は便器の先端よりも後方に下がっている。また、便座は、開放方向および閉鎖方向への回動は可能であるものの、他の方向への移動は想定されていない。このため、使用者がトイレ装置を使用する際には、便器の先端が便座の先端よりも前方に突き出した状態となり、使用者は心理的に不快に感じたり、使用者の脚などに便器の先端が触れたりする可能性があり、衛生的であるとは言い難かった。
【０００５】
本発明は、上述した事情に鑑みてなされたものであって、極めて衛生的であり、かつトイレ装置の意匠性を向上させることが可能な便座装置、および便座装置を備えたトイレ装置を提供することを目的とする。
【課題を解決するための手段】
【０００６】
本発明の一態様に係る便座装置は、便器本体に対して前後方向に移動可能な便座と、前記便座の移動を規制する規制部と、を備え、前記便座は、前記便座の先端が前記便器本体の先端と一致するように、または前記便器本体の前記先端よりも前方に突出するように前方向に向かって移動し、前記規制部は、前記便座の前記先端が前記便器本体の前記先端と一致した状態、または前記便器本体の前記先端よりも前方に突出した状態を維持可能に前記便座の移動を規制する。
【０００７】
本発明によれば、便座は便器本体に対して前後方向に移動可能であり、規制部によって便座の先端が便器本体の先端と一致した状態、または便器本体の先端よりも前方に突出した状態が維持される。このため、使用者がトイレ装置を使用する際に、便座の先端が便器本体の先端よりも後方に下がっているような状況を避けることができ、極めて衛生的である。さらには、便座が前後方向に移動可能であるため、便座の取り付け位置の自由度が増し、トイレ装置の意匠性を向上させることができる。
【０００８】
上記の便座装置では、非使用時において、前記便座の前記先端は、前記便器本体の前記先端よりも後方に位置し、使用時において、前記便座の前記先端は、前記便器本体の前記先端と一致する、または前記便器本体の前記先端よりも前方に位置してもよい。
本発明によれば、非使用時において、便座の先端が便器本体の先端よりも後方に位置し、使用時において、便座の先端が便器本体の先端と一致する、または便器本体の先端よりも前方に位置する。このため、使用者がトイレ装置を使用しない際は、便座はコンパクトに納まることができる。また、使用者がトイレ装置を使用する際は、便座の先端が便器本体の先端よりも後方に下がっているような状況を避けることができ、極めて衛生的である。
【０００９】
上記の便座装置は、便蓋をさらに備え、非使用時において、前記便蓋の先端は、前記便器本体の前記先端と一致し、使用時において、前記便座の前記先端は、前記便器本体の前記先端と一致してもよい。
本発明によれば、非使用時において、便蓋の先端が便器本体の先端と一致し、使用時において、便座の先端が便器本体の先端と一致する。使用者がトイレ装置を使用しない際は、便蓋の先端と便器本体の先端とが一致することで、トイレ装置の外観をすっきりさせることができ意匠性が向上されている。また、使用者がトイレ装置を使用する際は、便座の先端が便器本体の先端よりも後方に下がっているような状況を避けることができ、極めて衛生的である。
【００１０】
本発明の一態様に係るトイレ装置は、上記態様に係る便座装置と、前記便蓋および前記便座の下方に設けられた前記便器本体と、を備えている。
本発明によれば、トイレ装置は上記態様に係る便座装置を備えるため、極めて衛生的であり、かつ意匠性に優れている。
【００１１】
上記の便座装置は、便蓋をさらに備え、前記便座の前後方向への移動が前記便蓋の回動動作と連動してもよい。
本発明によれば、便座の前後方向への移動が便蓋の回動動作と連動しているため、使用者は便蓋を開けるまたは閉じるという一つの操作によって便座を前方向または後方向へと移動させることできる。このため、操作性に優れた便座装置とすることができる。
【００１２】
本発明の一態様に係るトイレ装置は、上記態様に係る便座装置と、前記便座装置の側方に設けられたカウンター部と、を備え、前記カウンター部の上面は、前記便蓋が閉じている状態において、前記便蓋の上面と面一である。
本発明によれば、便座装置の側方にはカウンター部が設けられているため、カウンター部の上面や内部に備品などを置くことができる。また、便蓋が閉じている状態において、カウンター部の上面と便蓋の上面とが面一であるため、トイレ装置は意匠性に優れている。
【００１３】
本発明の一態様に係るトイレ装置は、上記態様に係る便座装置と、前記便座装置の側方に設けられたカウンター部と、を備え、前記カウンター部の前面は、前記便蓋が閉じている状態において、前記便蓋の前面と面一であり、前記便座の前記先端は、前記便蓋が開いている状態において、前記カウンター部の前記前面よりも前方に突出している。
本発明によれば、便座装置の側方にはカウンター部が設けられているため、カウンター部の上面や内部に備品などを置くことができる。また、便蓋が閉じている状態において、カウンター部の前面と便蓋の前面とが面一であるため、トイレ装置は意匠性に優れている。さらには、便蓋が開いている状態において、便座の先端は、カウンター部の前面よりも前方に突出しているため、使用者は便座に着座しやすく、極めて衛生的である。
【発明の効果】
【００１４】
本発明に係る便座装置によれば、極めて衛生的であり、かつトイレ装置の意匠性を向上させることができる。
本発明に係るトイレ装置によれば、極めて衛生的であり、かつ意匠性に優れている。
【図面の簡単な説明】
【００１５】
【図１】本発明の第一実施形態に係る便座装置およびトイレ装置の斜視図である。
【図２】本発明の第一実施形態に係る便座装置およびトイレ装置の斜視図であり、便座の先端が前方に突出した状態を示している。
【図３】本発明の第一実施形態に係る便座装置およびトイレ装置の斜視図であり、（ａ）は便座の先端が後方に下がった状態、（ｂ）は便座の先端が前方に突出した状態をそれぞれ示している。
【図４】本発明の第一実施形態に係る便座装置およびトイレ装置の側面視における断面図であり、（ａ）は便座の先端が後方に下がった状態における規制部、（ｂ）は便座の先端が前方に突出した状態における規制部をそれぞれ示している。
【図５】本発明の第一実施形態に係る便座装置およびトイレ装置の作用を示す斜視図である。
【図６】本発明の第一実施形態に係る便座装置の変形例を示す模式図であり、（ａ）は便座の先端が後方に下がった状態、（ｂ）は便座の先端が便器本体の先端と一致した状態をそれぞれ示している。
【図７】本発明の第二実施形態に係る便座装置の斜視図である。
【図８】本発明の第二実施形態に係る便座装置の規制部の構成を示す模式図である。
【図９】本発明の第二実施形態に係る便座装置の動作を示す模式図であり、（ａ）は便蓋が閉じている状態、（ｂ）は便蓋が開いている状態をそれぞれ示している。
【図１０】本発明の第二実施形態に係る便座装置の動作を示す模式図である。
【図１１】本発明の第二実施形態に係る便座装置の動作を示す模式図である。
【図１２】本発明の第二実施形態に係る便座装置の動作を示す模式図である。
【図１３】本発明の第二実施形態に係る便座装置の動作を示す模式図である。
【図１４】本発明の第二実施形態に係る便座装置の動作を示す模式図である。
【図１５】本発明の第二実施形態に係る便座装置の便蓋の動作を示す模式図である。
【図１６】本発明の第二実施形態に係る便座装置の便蓋の動作を示す模式図である。
【図１７】本発明の第二実施形態に係る便座装置の便蓋の動作を示す模式図である。
【図１８】本発明の第二実施形態に係る便座装置の便蓋の動作を示す模式図である。
【図１９】本発明の第二実施形態に係る便座装置の便蓋の動作を示す模式図である。
【発明を実施するための形態】
【００１６】
（第一実施形態）
以下、本発明の第一実施形態に係る便座装置およびトイレ装置について、図１から図５を参照して説明する。
以降の説明において、使用者が便座装置およびトイレ装置に着座した状態で向く側を便座装置、トイレ装置およびそれらの構成要素の「前」または「先」と称し、その反対側を「後」と称し、これらを結ぶ方向を「前後方向」と称する。また、便座装置およびトイレ装置に着座した使用者から見て左側を「左」と称し、右側を「右」と称し、これらを結ぶ方向を「左右方向」と称する。
【００１７】
図１は、本発明の第一実施形態に係る便座装置１およびトイレ装置１００の斜視図である。図２は、便座装置１およびトイレ装置１００の斜視図であり、便座２の先端２ｂが前方に突出した状態を示している。図３は、便座装置１およびトイレ装置１００の斜視図であり、図３（ａ）は便座２の先端２ｂが後方に下がった状態、図３（ｂ）は便座２の先端２ｂが前方に突出した状態をそれぞれ示している。なお、図３（ａ）および図３（ｂ）では、第２カウンター部３０の一部を破断して示している。
【００１８】
図１から図３に示すように、本実施形態に係る便座装置１は、前後方向に移動可能な便座２と、回動動作が可能な便蓋３と、便座２の移動を規制する規制部４とを備えている。便座２は、便座２の先端２ｂが前方に突出するように前方向に向かって移動することができる。便蓋３は、便座２の前後方向への移動と連動して回動動作する。規制部４は、便座２の先端２ｂが前方に突出した状態を維持可能に便座２の移動を規制する。
【００１９】
トイレ装置１００は、トイレ部１０と、第１カウンター部２０（カウンター部）と、第２カウンター部３０（カウンター部）とを備えている。トイレ部１０の右側の側方には第１カウンター部２０が設けられ、左側の側方には第２カウンター部３０が設けられている。トイレ部１０には便座装置１が設けられており、便座装置１の側方に第１カウンター部２０および第２カウンター部３０がそれぞれ設けられている。つまり、トイレ部１０およびトイレ部１０を構成する便座装置１は、第１カウンター部２０と第２カウンター部３０との間に挟まれるように設けられている。図１および図２に示すように、本実施形態に係るトイレ装置１００の形状は、前後方向よりも左右方向に長い略直方体である。
【００２０】
トイレ部１０は、便座装置１と、便鉢を有する便器本体５と、カバー面６とを備えている。カバー面６は、便器本体５が前方に向かって露出しないように、トイレ部１０の前面に設けられており、便器本体５を覆い隠している。本実施形態に係るトイレ部１０においては、便器本体５の先端とは、カバー面６であるともいえる。
【００２１】
便座装置１は、便座２と、便蓋３と、規制部４とを備えている。
便座２は、便器本体５およびカバー面６の上方において、便器本体５に対して開閉可能に取り付けられている。便座２の中央には、便器本体５の便鉢に連通した孔が形成されており、便座２は略環状に形成されている。便座２の左右方向における長さは、第１カウンター部２０と第２カウンター部３０との間隔と略一致している。
【００２２】
便座２は、便器本体５に対して前後方向に移動可能に取り付けられている。
図２および図３（ｂ）に示すように、便座２は、便蓋３が開いている状態において、便座２の先端２ｂが前方に突出するように前方向に向かって移動することができる。つまり、便座２は、便蓋３が開いている状態において、便座２の先端２ｂが便器本体５およびカバー面６（便器本体５の先端）よりも前方に突出するように前方向に向かって移動することができる。便座２の前方向への移動は、便蓋３が便器本体５に対して開く方向に回動する動作と連動している。
図１および図３（ａ）に示すように、便座２は、便蓋３が閉じている状態において、便座２の先端２ｂが前方に突出しないように後方向に向かって移動することができる。つまり、便座２は、便蓋３が閉じている状態において、便座２の先端２ｂがカバー面６（便器本体５の先端）よりも後方に位置するように後方向に向かって移動することができる。便座２の後方向への移動は、便蓋３が便器本体５に対して閉じる方向に回動する動作と連動している。
【００２３】
便座２の移動は、規制部４によって規制されている。さらに、本実施形態に係る便座装置１およびトイレ装置１００においては、便座２の前後方向への移動と便蓋３の回動動作とが連動しており、便座２と便蓋３との連動も規制部４によって規制されている。規制部４の詳細については後述する。
【００２４】
便蓋３は、便器本体５およびカバー面６の上方において、便器本体５に対して開閉可能に取り付けられている。便蓋３は上面３ａおよび下面３ｃを有し、便蓋３が閉じている状態において、便蓋３の下面３ｃは便座２と対向する。図３（ａ）および図３（ｂ）に示すように、便蓋３の下面３ｃからは前側立設部７と後側立設部８とがそれぞれ立設している。前側立設部７は便蓋３の前後方向における最も前に位置して形成されており、後側立設部８は便蓋３の前後方向における最も後よりもやや前側に位置して形成されている。前側立設部７および後側立設部８はいずれも便蓋３の左右方向に延びて形成されており、便蓋３の右端から左端にかけて連続して形成されている。前側立設部７のうち前方を向く面が便蓋３の前面３ｂとなっている。後側立設部８の後方を向く面は後述する接続バー９と当接して固定されている。
図１および図３（ａ）に示すように、便蓋３が閉じている状態において、便蓋３は便座２を完全に覆い隠すことができる。
【００２５】
図４は、便座装置１およびトイレ装置１００の側面視における断面図であり、図４（ａ）は便蓋３が閉じて便座２の先端２ｂが後方に下がった状態における規制部４、図４（ｂ）は便蓋３が開いて便座２の先端２ｂが前方に突出した状態における規制部４をそれぞれ示している。
【００２６】
図３（ａ）、図３（ｂ）、図４（ａ）および図４（ｂ）に示すように、規制部４は、第１リンク部材４１と、第２リンク部材４２とを有している。規制部４は、トイレ部１０の後方に、便座２および便蓋３を左右方向において挟むようにして一対で設けられている。規制部４は、便座２の前後方向への移動と便蓋３の回動動作とが連動するように便座２と便蓋３とを互いに接続している。
【００２７】
便蓋３の後側立設部８よりも後方には、接続バー９が設けられている。接続バー９は、左右方向に延びて設けられており、一方の規制部４と他方の規制部４とを接続している。接続バー９の左端はトイレ部１０の後方かつ左端付近に設けられた規制部４に接続され、接続バー９の右端はトイレ部１０の後方かつ右端付近に設けられた規制部４に接続されている。接続バー９は、便蓋３の下面３ｃと後側立設部８とによって形成される側面視して略Ｌ字状の面に当接して固定されている。
【００２８】
接続バー９は、規制部４の第１リンク部材４１に当接して固定されている。図４（ａ）および図４（ｂ）に示すように、第１リンク部材４１は、側面視して略三角形状である。
第１リンク部材４１には固定軸孔４１ｂが形成されており、固定軸孔４１ｂには固定軸４３が挿通されている。第１リンク部材４１は、固定軸４３まわりに回動可能である。固定軸４３は、隣り合うカウンター部まで延びて、カウンター部の所定の位置に接続されている。
図３（ａ）および図４（ａ）に示すように、便蓋３が閉じている状態において、固定軸孔４１ｂおよび固定軸４３は、接続バー９と第１リンク部材４１とが固定されている位置と略同一の高さであり、かつ前方に位置している。
【００２９】
第１リンク部材４１には第１ピン孔４１ａが形成されており、第１ピン孔４１ａには第１ピン４４が挿通されている。第１リンク部材４１は、第１ピン４４まわりに回動可能である。
図３（ａ）および図４（ａ）に示すように、便蓋３が閉じている状態において、第１ピン孔４１ａおよび第１ピン４４は、前後方向において固定軸孔４１ｂおよび固定軸４３の位置と略同一であり、かつ下方に位置している。
【００３０】
第１リンク部材４１よりも前方であって、左右方向において第１リンク部材４１と便座２との間に挟まれるようにして第２リンク部材４２が設けられている。図４（ａ）および図４（ｂ）に示すように、第２リンク部材４２は、棒状の部材である。
第２リンク部材４２の後端付近には第１ピン孔４２ａが形成されており、第１ピン孔４２ａには第１ピン４４が挿通されている。第２リンク部材４２は、第１ピン４４まわりに回動可能である。
第１ピン４４が、第１リンク部材４１の第１ピン孔４１ａと第２リンク部材４２の第１ピン孔４２ａとに挿通されているため、第１リンク部材４１とは第２リンク部材４２とは第１ピン４４を介して互いに相対回動可能に接続されている。
【００３１】
第２リンク部材４２の前端付近には第２ピン孔４２ｂが形成されており、第２ピン孔４２ｂには第２ピン４５が挿通されている。第２リンク部材４２は、第２ピン４５まわりに回動可能である。第２ピン４５は便座２に接続されており、第２リンク部材４２は第２ピン４５を介して便座２と接続されている。
図３（ａ）および図４（ａ）に示すように、便蓋３が閉じている状態において、第２ピン孔４２ｂおよび第２ピン４５は、第１ピン孔４１ａ、第１ピン孔４２ａおよび第１ピン４４よりも前方かつ上方に位置している。
【００３２】
次に、便座２の前後方向への移動、および便座２の前後方向への移動と便蓋３の回動動作との連動について、さらに詳細に説明する。
【００３３】
図３（ａ）および図４（ａ）に示すように、便蓋３が閉じ、便座２の先端２ｂがカバー面６（便器本体５の先端）よりも後方に下がっている状態においては、便蓋３の後側立設部８と固定軸４３とは略同一の高さに位置している。
図３（ｂ）および図４（ｂ）に示すように、便蓋３が便座２および便器本体５に対して開く方向に回動動作をすると、便蓋３の後側立設部８に固定された接続バー９と接続した第１リンク部材４１が固定軸４３まわりに回動し、便蓋３の後側立設部８および接続バー９が前方かつ下方へと移動する。第１リンク部材４１は便蓋３が回動する方向と同じ方向に回動するため、第１リンク部材４１の第１ピン孔４１ａ、第２リンク部材４２の第１ピン孔４２ａ、および第１ピン４４は前方かつ上方へと移動する。第２リンク部材４２の第１ピン孔４２ａが前方へと移動するため、第２リンク部材４２の第２ピン孔４２ｂも前方へと移動し、第２ピン４５と接続した便座２が前方へと移動する。
【００３４】
図３（ａ）、図３（ｂ）、図４（ａ）および図４（ｂ）に示すように、トイレ部１０と第２カウンター部３０との間には、仕切り板３４が設けられている。仕切り板３４の上方かつ後方の一部は切り欠かれており、規制部４を配置可能な空間３４ｓが形成されている。規制部４は空間３４ｓに配置されており、規制部４の第１リンク部材４１および第２リンク部材４２の動作と、仕切り板３４とが干渉しないように構成されている。
【００３５】
仕切り板３４には、後方かつ空間３４ｓを向く側の面の一部にストッパ面３４ａが形成されている。第１リンク部材４１が固定軸４３を中心として便蓋３が開く方向と同じ方向に回動していくと、やがて第１リンク部材４１は仕切り板３４のストッパ面３４ａに当接する。第１リンク部材４１とストッパ面３４ａとが当接した状態は、便蓋３が便器本体５に対して完全に開いた状態であり、便座２の先端２ｂは便器本体５およびカバー面６（便器本体５の先端）よりも前方に突出している。つまり、規制部４がストッパ面３４ａと当接可能な第１リンク部材４１を有し、便座２と接続した第２リンク部材４２を有しているため、規制部４は便座２の前後方向への移動を規制し、便座２の先端２ｂが前方に突出した状態を維持することができる。
なお、トイレ部１０と第１カウンター部２０との間には、仕切り板２４（図５参照）が設けられており、仕切り板３４と同様に、仕切り板２４には規制部４を配置可能な空間を形成するように切り欠かれた部分があり、規制部４の第１リンク部材４１と当接するストッパ面が形成されている。
【００３６】
便蓋３が閉じる方向に回動動作をすると、便蓋３の後側立設部８に固定された接続バー９と接続した第１リンク部材４１が固定軸４３まわりに回動し、便蓋３の後側立設部８および接続バー９が後方かつ上方へと移動する。第１リンク部材４１は便蓋３が回動する方向と同じ方向に回動するため、第１リンク部材４１の第１ピン孔４１ａ、第２リンク部材４２の第１ピン孔４２ａ、および第１ピン４４は後方かつ下方へと移動する。第２リンク部材４２の第１ピン孔４２ａが後方へと移動するため、第２リンク部材４２の第２ピン孔４２ｂも後方へと移動し、第２ピン４５と接続した便座２が後方へと移動する。
【００３７】
上記のとおり、便座装置１の便座２は便器本体５に対して前後方向に移動し、便座２の先端２ｂが便器本体５およびカバー面６（便器本体５の先端）よりも前方に突出するように前方向に向かって移動する。また、便座装置１の規制部４は、便座２の移動を規制し、便座２の先端２ｂが便器本体５およびカバー面６（便器本体５の先端）よりも前方に突出した状態を維持する。さらには、便座２の前後方向への移動は便蓋３の回動動作と連動している。
【００３８】
第１カウンター部２０は、上面２１と、前面２２と、引き出し面２３とを備えている。
図１および図３（ａ）に示すように、トイレ部１０の便蓋３が閉じている状態において、第１カウンター部２０の上面２１と便蓋３の上面３ａとは面一であり、第１カウンター部２０の前面２２と便蓋３の前面３ｂとは面一である。また、第１カウンター部２０の引き出し面２３とトイレ部１０のカバー面６とは面一である。
なお、「面一である」とは、完全面一である場合に限られず、実質的面一または略面一である場合も含まれる。例えば、第１カウンター部２０の上面２１に置かれた載置物を上面２１に沿って移動させた際に、第１カウンター部２０の上面２１と便蓋３の上面３ａとの間を載置物が円滑に移動できるような場合には、上面２１と上面３ａとは面一であるといえる。また、上面２１と上面３ａとの間に、製造技術上やむを得ない程度の意図しない段差が生じていた場合であっても、上面２１と上面３ａとは面一であるといえる。以降の説明においても同様とする。
【００３９】
第２カウンター部３０は、上面３１と、前面３２と、引き出し面３３とを備えている。
図１および図３（ａ）に示すように、トイレ部１０の便蓋３が閉じている状態において、第２カウンター部３０の上面３１と便蓋３の上面３ａとは面一であり、第２カウンター部３０の前面３２と便蓋３の前面３ｂとは面一である。また、第２カウンター部３０の引き出し面３３とトイレ部１０のカバー面６とは面一である。
【００４０】
図２および図３（ｂ）に示すように、トイレ部１０の便蓋３が開いている状態において、便座装置１の便座２の先端２ｂは、第１カウンター部２０の前面２２および引き出し面２３よりも前方に突出しており、第２カウンター部３０の前面３２および引き出し面３３よりも前方に突出している。
【００４１】
以上のように構成された便座装置１およびトイレ装置１００の作用について、図５を参照して説明する。
図５は、便座装置１およびトイレ装置１００の作用を示す斜視図である。
使用者が便座装置１およびトイレ装置１００を使用しない非使用時においては、図３（ａ）および図４（ａ）に示すように、便蓋３が閉じ、便座２の先端２ｂがカバー面６（便器本体５の先端）よりも後方に位置している。
使用者が便座装置１およびトイレ装置１００を使用する使用時において、使用者が便座装置１の便蓋３を開くと、便蓋３の動きと連動して便座装置１の便座２の先端２ｂが便器本体５に対して前方向に移動する。便座２の移動および便蓋３の回動動作は、規制部４によって規制されており、便蓋３が便座２および便器本体５に対して完全に開き、便座２の先端２ｂが便器本体５およびカバー面６（便器本体５の先端）よりも前方に突出した状態が維持される。使用者は、前方に移動した便座２に着座して、トイレ部１０を使用する。使用者は、便座２の先端２ｂが便器本体５およびカバー面６（便器本体５の先端）よりも前方に突出した状態で便座２に着座するため、使用者の脚などに便器本体５やカバー面６が触れることがない。
【００４２】
第１カウンター部２０の内部には収納部２５が設けられ、第２カウンター部３０の内部には収納部３５が設けられている。例えば、第１カウンター部２０の収納部２５にはトイレットペーパーが収納されており、使用者は第１カウンター部２０の引き出し面２３を前方に引き出すことで、収納部２５に収納されているトイレットペーパーを使用することができる。
使用者が便座装置１の便座２から立ち上がり、便蓋３を閉じると、便蓋３の動きと連動して便座２の先端２ｂがカバー面６（便器本体５の先端）よりも後方に移動する。便蓋３が便座２および便器本体５に対して完全に閉じた状態では、便蓋３の上面３ａ、第１カウンター部２０の上面２１、および第２カウンター部３０の上面３１は面一となり、便蓋３の前面３ｂ、第１カウンター部２０の前面２２、および第２カウンター部３０の前面３２は面一となる。
【００４３】
トイレ部１０は第１カウンター部２０と第２カウンター部３０とによって挟まれており、トイレ部１０の便蓋３が完全に閉じている状態では便座２および便器本体５は完全に覆い隠されている。このため、トイレ装置１００は、一見してトイレ装置のようには見えず、収納家具であるかのように見え、極めて意匠性に優れている。さらに、第１カウンター部２０の上面２１や第２カウンター部３０の上面３１に花などを飾ることによって、トイレ装置１００が設置される空間を一段と意匠性に優れた空間とすることができる。
【００４４】
本実施形態に係る便座装置１によれば、便座２は便器本体５に対して前後方向に移動可能であり、規制部４によって便座２の先端２ｂが便器本体５およびカバー面６（便器本体５の先端）よりも前方に突出した状態が維持される。このため、使用者がトイレ装置１００を使用する際に、便座２の先端２ｂが便器本体５の先端よりも後方に下がっているような状況を避けることができ、極めて衛生的である。さらには、便座２が前後方向に移動可能であるため、便座２の取り付け位置の自由度が増し、便蓋３や便器本体５を含めたトイレ部１０の設計の自由度が増すことで、トイレ部１０およびトイレ装置１００の意匠性を向上させることができる。
【００４５】
本実施形態に係る便座装置１によれば、非使用時において、便座２の先端２ｂがカバー面６（便器本体５の先端）よりも後方に位置し、使用時において、便座２の先端２ｂが便器本体５およびカバー面６（便器本体５の先端）よりも前方に位置している。このため、使用者がトイレ装置１００を使用しない際は、便座２はコンパクトに納まることができる。また、使用者がトイレ装置１００を使用する際は、便座２の先端２ｂが便器本体５の先端よりも後方に下がっているような状況を避けることができ、極めて衛生的である。
【００４６】
本実施形態に係る便座装置１によれば、便座２の前後方向への移動が便蓋３の回動動作と連動しているため、使用者は便蓋３を開けるまたは閉じるという一つの操作によって便座２を前方向または後方向へと移動させることできる。このため、操作性に優れた便座装置１とすることができる。
【００４７】
本実施形態に係るトイレ装置１００によれば、便座装置１の側方には第１カウンター部２０および第２カウンター部３０がそれぞれ設けられている。このため、第１カウンター部２０の上面２１および収納部２５、第２カウンター部３０の上面３１および収納部３５に備品などを置くことができる。
また、便蓋３が閉じている状態において、第１カウンター部２０の上面２１と便蓋３の上面３ａとが面一であり、第２カウンター部３０の上面３１と便蓋３の上面３ａとが面一であるため、トイレ装置１００は意匠性に優れている。
また、便蓋３が閉じている状態において、第１カウンター部２０の前面２２と便蓋３の前面３ｂとが面一であり、第２カウンター部３０の前面３２と便蓋３の前面３ｂとが面一であるため、トイレ装置１００は意匠性に優れている。さらには、便蓋３が開いている状態において、便座２の先端２ｂは、第１カウンター部２０の前面２２および第２カウンター部３０の前面３２よりも前方に突出しているため、使用者は便座２に着座しやすく、極めて衛生的である。
【００４８】
（変形例）
次に、本発明の第一実施形態の変形例に係る便座装置について、図６を参照して説明する。
本変形例に係る便座装置は、カウンター部との組み合わせは行わない一般的なトイレ装置に設けられている点、および便座の先端が便器本体の先端と一致するように便座が前方向に向かって移動する点で第一実施形態とは異なっている。
なお、以降の説明において、既に説明したものと共通する構成については、同一の符号を付して重複する説明を省略する。
【００４９】
図６は、本変形例に係るトイレ装置１０Ａを示す模式図であり、図６（ａ）は便座２の先端２ｂが後方に下がった状態、図６（ｂ）は便座２の先端２ｂが便器本体５の先端５ｂと一致した状態をそれぞれ示している。
図６（ａ）および図６（ｂ）に示すように、本変形例に係る便座装置１Ａは、便器本体５に対して前後方向に移動可能な便座２と、回動動作が可能な便蓋３と、便座２の移動を規制する規制部４Ａとを備えている。便器本体５は、便蓋３および便座２の下方に設けられている。
【００５０】
便座２は、便座２の先端２ｂが便器本体５の先端５ｂと一致するように前方向に向かって移動することができる。便蓋３は、便座２の前後方向への移動と連動して回動動作する。規制部４Ａは、便座２の先端２ｂが便器本体５の先端５ｂと一致した状態を維持可能に便座２の移動を規制する。規制部４Ａはトイレ装置１０Ａの後方に、便座２を左右方向において挟むようにして一対で設けられている。規制部４Ａ、便座２の前後方向への移動と便蓋３の回動動作とが連動するように便座２と便蓋３とを互いに接続している。例えば、規制部４Ａには、第一実施形態における規制部４と同様の構成を用いてもよい。
【００５１】
図６（ａ）に示すように、使用者が便座装置１Ａおよびトイレ装置１０Ａを使用しない非使用時においては、便蓋３が閉じ、便座２の先端２ｂは、便器本体５の先端５ｂよりも後方に下がっている。便蓋３が閉じている状態では、便蓋３は便座２を覆い隠し、便蓋３の前面３ｂ（先端）は便器本体５の先端５ｂと一致している。
本変形例において、便蓋３の前面３ｂ（先端）と便器本体５の先端５ｂとが一致しているとは、便蓋３が完全に閉じている状態において、便蓋３の上面３ａの周囲から垂下する便蓋３の前面３ｂと便器本体５の先端５ｂ側の外周面とによって形成される外形線が側面視で段差なくきれいに延びている（略真っ直ぐとなる）ことを意味し、便蓋３の上面３ａの周囲から垂下する便蓋３の前面３ｂの下端が便器本体５のリム部の上面の先端と一致していることを意味している。
【００５２】
図６（ｂ）に示すように、使用者が便座装置１Ａおよびトイレ装置１０Ａを使用する使用時において、使用者が便座装置１Ａの便蓋３を開くと、便蓋３が便座２および便器本体５に対して開く方向に回動し、便蓋３の動きと連動して便座装置１Ａの便座２が便器本体５に対して前方向に移動する。便蓋３が便座２および便器本体５に対して完全に開いている状態において、便座２の先端２ｂは便器本体５の先端５ｂと一致する。便座２の移動および便蓋３の回動動作は、規制部４Ａによって規制されており、便蓋３が便座２および便器本体５に対して完全に開き、便座２の先端２ｂが便器本体５の先端５ｂと一致した状態が維持される。
本変形例において、便座２の先端２ｂと便器本体５の先端５ｂとが一致しているとは、便座２の先端２ｂと便器本体５の先端５ｂ側の外周面とによって形成される外形線が側面視で段差なくきれいに延びている（略真っ直ぐとなる）ことを意味し、便座２の先端２ｂが便器本体５のリム部の上面の先端と一致していることを意味している。
【００５３】
逆に、便蓋３が便座２および便器本体５に対して閉じる方向に回動すると、便蓋３の動きに連動して便座２が後方向に移動し、図６（ａ）に示す状態となる。
【００５４】
本変形例に係る便座装置１Ａによれば、便座２は便器本体５に対して前後方向に移動可能であり、規制部４Ａによって便座２の先端２ｂが便器本体５の先端５ｂと一致した状態が維持される。このため、使用者がトイレ装置１０Ａを使用する際に、便座２の先端２ｂが便器本体５の先端５ｂよりも後方に下がっているような状況を避けることができ、極めて衛生的である。さらには、便座２が前後方向に移動可能であるため、便座２の取り付け位置の自由度が増し、便蓋３や便器本体５を含めたトイレ装置１０Ａの設計の自由度が増すことで、トイレ装置１０Ａの意匠性を向上させることができる。例えば、図６（ａ）に示すように、便蓋３の前面３ｂ（先端）と便器本体５の先端５ｂとを一致させることで、トイレ装置１０Ａの外観をすっきりさせることができる。
【００５５】
本変形例に係る便座装置１Ａによれば、非使用時において、便座２の先端２ｂが便器本体５の先端５ｂよりも後方に位置し、使用時において、便座２の先端２ｂが便器本体５の先端５ｂと一致している。このため、使用者がトイレ装置１０Ａを使用しない際は、便座２はコンパクトに納まることができる。また、使用者がトイレ装置１０Ａを使用する際は、便座２の先端２ｂが便器本体５の先端５ｂよりも後方に下がっているような状況を避けることができ、極めて衛生的である。
【００５６】
本変形例に係る便座装置１Ａによれば、非使用時において、便蓋３の前面３ｂ（先端）が便器本体５の先端５ｂと一致し、使用時において、便座２の先端２ｂが便器本体５の先端５ｂと一致する。使用者がトイレ装置１０Ａを使用しない際は、便蓋３の前面３ｂ（先端）と便器本体５の先端５ｂとが一致することで、トイレ装置１０Ａの外観をすっきりさせることができ意匠性が向上されている。また、使用者がトイレ装置１０Ａを使用する際は、便座２の先端２ｂが便器本体５の先端５ｂよりも後方に下がっているような状況を避けることができ、極めて衛生的である。
【００５７】
本変形例に係る便座装置１Ａによれば、便座２の前後方向への移動が便蓋３の回動動作と連動しているため、使用者は便蓋３を開けるまたは閉じるという一つの操作によって便座２を前方向または後方向へと移動させることできる。このため、操作性に優れた便座装置１Ａとすることができる。
【００５８】
本変形例のように、本発明に係る便座装置は、一般的な単体のトイレ装置に対しても適用することができ、便座の前方向への移動が便器本体の先端までであっても所望の効果を得ることができる。
【００５９】
（第二実施形態）
次に、本発明の第二実施形態に係る便座装置について、図７から図１９を参照して説明する。
本実施形態に係る便座装置は、便座の前後方向への移動が便蓋の回動動作と連動していない点で第一実施形態および第一実施形態の変形例とは異なっている。
【００６０】
図７は、本発明の第二実施形態に係る便座装置５０の斜視図である。なお、図７では、便蓋７０の一部を破断して示している。
図７に示すように、トイレ装置２００は、便座装置５０と、機能部５１と、軸支部５２と、便器本体８０とを備えている。機能部５１は、便器本体８０の後方かつ上方に設けられている。機能部５１の前方には軸支部５２が設けられており、軸支部５２には便座６０および便蓋７０が回動可能に取り付けられている。
【００６１】
便座装置５０は、便座６０と、便蓋７０と、規制部９０とを備えている。
便座６０は、便器本体８０の上方において、便器本体８０に対して開閉可能に軸支部５２に取り付けられている。後述するとおり、便座６０は、便器本体８０に対して前後方向に移動可能である。
【００６２】
便蓋７０は、便器本体８０の上方において、便器本体８０に対して開閉可能に軸支部５２に取り付けられている。図７に示すように、便蓋７０が完全に閉じている状態において、便蓋７０は便座６０を覆い、便蓋７０の先端７１と便器本体８０の先端８１とは前後方向における位置が一致している。本実施形態において、便蓋７０の先端７１と便器本体８０の先端８１とが一致しているとは、便蓋７０が完全に閉じている状態において、便蓋７０の上面の周囲から垂下する便蓋７０の側壁面と便器本体８０の先端８１側の外周面とによって形成される外形線が側面視で段差なくきれいに延びている（略真っ直ぐとなる）ことを意味し、便蓋７０の上面の周囲から垂下する便蓋７０の側壁面の下端が便器本体８０のリム部の上面の先端と一致していることを意味している。
【００６３】
規制部９０は、軸支部５２を左右方向において挟むようにして一対で設けられている。
【００６４】
図８は、便座装置５０の規制部９０の構成を示す模式図であり、規制部９０の構成要素を分解して示している。図８に示すように、規制部９０は、円板９１および便座ヒンジ９５を有している。軸支部５２に近い側から、円板９１、便座ヒンジ９５の順番で設けられており、円板９１が軸支部５２と便座ヒンジ９５との間に挟まれるようにして設けられている。
【００６５】
軸支部５２には、便座６０を回動動作させる便座回転出力モーター５３が内蔵されており、軸支部５２の側面から便座回転出力モーター５３の出力軸５４が突出している。
円板９１には出力軸５４が挿入されて固定される出力軸固定孔９２が形成されている。出力軸固定孔９２は円板９１の中心から偏心した位置に形成されているため、円板９１は出力軸５４から偏心するようにして出力軸５４に固定されている。
出力軸５４の先端は矩形状の形状であり、円板９１の出力軸固定孔９２は出力軸５４の先端の形状に合うような矩形状の形状となっている。このため、出力軸５４と円板９１の出力軸固定孔９２とは互いに係合し、便座回転出力モーター５３による出力軸５４の回転に伴って円板９１が回転する。
【００６６】
円板９１の中心には、便座ヒンジ９５に向かって延びる回転軸９４が形成されている。
便座ヒンジ９５には回転軸孔９６が形成されており、回転軸孔９６に回転軸９４が挿入されている。
円板９１の中心に位置する回転軸９４は円板９１と一体で形成されている。回転軸９４の先端の形状は円形状の形状であり、便座ヒンジ９５の回転軸孔９６は回転軸９４の先端の形状に合うような円形状の形状となっている。回転軸孔９６に回転軸９４が挿入されているものの、回転軸９４から回転軸孔９６を介して便座ヒンジ９５に伝達される力は、便座ヒンジ９５の回転軸９４（回転軸孔９６）まわりの回転には作用せず、後述する回転軸９４の軸方向と垂直に交わる方向への便座ヒンジ９５の動作に作用する。
【００６７】
円板９１には、出力軸固定孔９２を中心とする同心円上にスリット９３が形成されている。便座ヒンジ９５には円板９１に向かって延びる係合ピン９７が形成されている。円板９１のスリット９３と便座ヒンジ９５の係合ピン９７とは互いに係合可能に構成されている。
なお、図８においては、軸支部５２の右端に設けられた規制部９０の構成を示しているが、軸支部５２の左端に設けられた規制部９０も同様の構成を有している。
【００６８】
次に、便座６０の前後方向への移動、および規制部９０による便座６０の移動の規制について、図９から図１４を参照して説明する。
図９から図１４は、便座装置５０の動作を示す模式図である。なお、図９から図１４においては、説明の分かり易さの観点から、規制部９０の構成要素は実線で示されている。例えば、図９（ａ）および図９（ｂ）において、円板９１は便座ヒンジ９５に覆われて隠れているものの、実線で示されている。
【００６９】
図９において、図９（ａ）は便蓋７０が閉じている状態を示し、図９（ｂ）は便蓋７０が開いている状態を示している。
図９（ａ）および図９（ｂ）に示すように、便座６０と規制部９０の便座ヒンジ９５とは一体で形成されている。
図９（ａ）に示すように、便蓋７０が完全に閉じている状態では、便蓋７０の先端７１と便器本体８０の先端８１とは前後方向における位置が同一であるため、便座６０の先端６１は便器本体８０の先端８１よりも後方に下がっている。
図９（ｂ）に示すように、便座６０の先端６１が便器本体８０の先端８１よりも後方に位置している状態において、便座ヒンジ９５の係合ピン９７は、円板９１のスリット９３の前端と当接するようにして係合している。
【００７０】
図１０に示すように、便座回転出力モーター５３の出力軸５４が回転を始めると、出力軸５４に固定された円板９１は、出力軸５４の回転方向と同じ方向に出力軸５４を中心として回動し始める。便座ヒンジ９５の回転軸孔９６に円板９１の回転軸９４が挿入されて便座ヒンジ９５と円板９１とが接続しているため、円板９１の回動に伴って、円板９１と便座ヒンジ９５とが摺動して便座ヒンジ９５が前方向に移動する。便座ヒンジ９５が前方向に移動することで、便座ヒンジ９５と一体で形成されている便座６０も前方向に移動する。また、便座ヒンジ９５の係合ピン９７は、円板９１のスリット９３の前端から後端に向かって相対的に移動する。
【００７１】
図１１に示すように、便座回転出力モーター５３の出力軸５４がさらに回転を進めると、円板９１は出力軸５４の回転方向と同じ方向に出力軸５４を中心としてさらに回動する。円板９１の回動が進むにつれて、円板９１と便座ヒンジ９５とが摺動しながら、便座ヒンジ９５がさらに前方向に移動する。便座ヒンジ９５がさらに前方向に移動することで、便座ヒンジ９５と一体で形成されている便座６０もさらに前方向に移動する。また、便座ヒンジ９５の係合ピン９７は、円板９１のスリット９３の前端から後端に向かってさらに相対的に移動し、係合ピン９７はスリット９３の後端に当接するまで移動する。便座ヒンジ９５の係合ピン９７が円板９１のスリット９３の後端に当接すると、円板９１と便座ヒンジ９５との摺動が止まり、便座６０の前方向への移動が止まる。
図１１に示すように、便座ヒンジ９５の係合ピン９７が円板９１のスリット９３の後端に当接した状態においては、便座６０の先端６１は便器本体８０の先端８１よりも前方に突出している。つまり、規制部９０は便座６０の前後方向の移動を規制し、規制部９０の係合ピン９７とスリット９３の後端との当接によって、便座６０の先端６１が便器本体８０の先端８１よりも前方に突出した状態を維持している。
【００７２】
図１２から図１４に示すように、便座ヒンジ９５の係合ピン９７が円板９１のスリット９３の後端に当接した状態で、便座回転出力モーター５３の出力軸５４がさらに回転を進めると、円板９１および係合ピン９７は、出力軸５４の回転方向と同じ方向に出力軸５４を中心として回動する。係合ピン９７が回動することで、係合ピン９７が形成されている便座ヒンジ９５も回動し、便座ヒンジ９５と一体の便座６０が便器本体８０に対して開くように回動する。図１４に示すように、やがて便座６０は便器本体８０に対して完全に開いた状態となる。
【００７３】
上記とは逆方向に便座回転出力モーター５３の出力軸５４が回転することで、便座６０が便器本体８０に対して閉じ、図９（ｂ）に示すように、便座６０の先端６１が便器本体８０の先端８１よりも後方に下がるように便座６０が後方向に移動する。便座ヒンジ９５の係合ピン９７が円板９１のスリット９３の前端と当接するまで便座６０が後方向に移動し、その後、図９（ａ）に示すように便蓋７０が閉じられる。
【００７４】
使用者が便座装置５０およびトイレ装置２００を使用しない非使用時においては、図７および図９（ａ）に示すように、便蓋７０が閉じ、便座６０の先端６１が便器本体８０の先端８１よりも後方に位置している。
使用者が便座装置５０およびトイレ装置２００を使用する使用時において、便座装置５０の便座６０の先端６１が便器本体８０に対して前方向に移動する。便座６０の前後方向への移動は、規制部９０によって規制されており、図１１に示すように、便座６０の先端６１が便器本体８０の先端８１よりも前方に突出した状態が維持される。
【００７５】
本実施形態のトイレ装置２００は、トイレ装置２００前の使用者（人体）を検知する手段を備え、人体を検知したときに、便蓋７０を開き、便座６０を前方に移動させ、トイレ装置２００を自動的に図１１に示す状態とするように構成されていてもよい。
また、本実施形態のトイレ装置２００は、使用者がトイレ装置２００を使用した後に、便座６０を後方に移動させ、その後便蓋７０を閉じ、トイレ装置２００を自動的に図９（ａ）に示す状態とするように構成されていてもよい。
さらに、本実施形態のトイレ装置２００は、トイレ装置２００を操作するリモコンを備え、リモコンに設けられた便座開ボタンが使用者によって押されたときに、便座６０が前方に突出した状態（図１１に示す状態）から回動して便器本体８０に対して開いた状態（図１４に示す状態）になるように構成されていてもよい。同様に、リモコンに設けられた便座閉ボタンが使用者によって押されたときに、便座６０が便器本体８０に対して開いた状態（図１４に示す状態）から回動して便器本体８０に対して閉じてかつ前方に突出した状態（図１１に示す状態）に戻るように構成されていてもよい。
【００７６】
本実施形態に係る便座装置５０によれば、便座６０は便器本体８０に対して前後方向に移動可能であり、規制部９０によって便座６０の先端６１が便器本体８０の先端８１よりも前方に突出した状態が維持される。このため、使用者がトイレ装置２００を使用する際に、便座６０の先端６１が便器本体８０の先端８１よりも後方に下がっているような状況を避けることができ、極めて衛生的である。さらには、便座６０が前後方向に移動可能であるため、便座６０の取り付け位置の自由度が増し、便蓋７０や便器本体８０を含めたトイレ装置２００の設計の自由度が増すことで、トイレ装置２００の意匠性を向上させることができる。例えば、図７に示すように、便蓋７０の先端７１と便器本体８０の先端８１との前後方向における位置を一致させることで、トイレ装置２００の外観をすっきりさせることができる。
【００７７】
本実施形態に係る便座装置５０によれば、非使用時において、便座６０の先端６１が便器本体８０の先端８１よりも後方に位置し、使用時において、便座６０の先端６１が便器本体８０の先端８１よりも前方に位置している。このため、使用者がトイレ装置２００を使用しない際は、便座６０はコンパクトに納まることができる。また、使用者がトイレ装置２００を使用する際は、便座６０の先端６１が便器本体８０の先端８１よりも後方に下がっているような状況を避けることができ、極めて衛生的である。
【００７８】
本実施形態のように、本発明に係る便座装置は、便蓋の回動動作と連動しない場合であっても利用することができ、所望の効果を得ることができる。
【００７９】
さらに、本実施形態に係る規制部９０と同様の構成を用いて、便蓋７０を便器本体８０に対して前後方向に移動可能であり、かつ回動可能に構成してもよい。
図１５から図１９は、便蓋７０の動作を示す模式図である。なお、図９から図１４と同様に、図１５から図１９においては、説明の分かり易さの観点から、規制部９０および規制部１９０の構成要素は実線で示されている。
【００８０】
図１５に示すように、トイレ装置２００Ａは、規制部１９０をさらに備えている。トイレ装置２００Ａの便座６０や便座６０の移動を規制する規制部９０の構成などは、すべて上記のトイレ装置２００と同様である。
規制部１９０は、機能部５１よりも前方であって、規制部９０よりも後方に、軸支部５２を左右方向において挟むようにして一対で設けられている。
便蓋７０は、規制部１９０を介して軸支部５２に取り付けられている。規制部１９０は、円板１９１を有している。円板１９１は、左右方向において軸支部５２と便蓋７０との間に設けられている。
【００８１】
軸支部５２には、便蓋７０を回動動作させる便蓋回転出力モーターが内蔵されており、軸支部５２の側面から便蓋回転出力モーターの出力軸１５４が突出している。
円板１９１には出力軸１５４が挿入されて固定される出力軸固定孔１９２が形成されている。出力軸固定孔１９２は円板１９１の中心から偏心した位置に形成されているため、円板１９１は出力軸１５４から偏心するようにして出力軸１５４に固定されている。
出力軸１５４の先端は矩形状の形状であり、円板１９１の出力軸固定孔１９２は出力軸１５４の先端の形状に合うような矩形状の形状となっている。このため、出力軸１５４と円板１９１の出力軸固定孔１９２とは互いに係合し、便座回転出力モーターによる出力軸１５４の回転に伴って円板１９１が回転する。
【００８２】
円板１９１の中心には、便蓋７０に向かって延びる回転軸１９４が形成されている。便蓋７０には回転軸孔１９６が形成されており、回転軸孔１９６に回転軸１９４が挿入されている。
円板１９１の中心に位置する回転軸１９４は円板１９１と一体で形成されている。回転軸１９４の先端の形状は円形状の形状であり、便蓋７０の回転軸孔１９６は回転軸１９４の先端の形状に合うような円形状の形状となっている。回転軸孔１９６に回転軸１９４が挿入されているものの、回転軸１９４から回転軸孔１９６を介して便蓋７０に伝達される力は、便蓋７０の回転軸１９４（回転軸孔１９６）まわりの回転には作用せず、後述する回転軸１９４の軸方向と垂直に交わる方向への便蓋７０の動作に作用する。
【００８３】
円板１９１には、出力軸固定孔１９２を中心とする同心円上にスリット１９３が形成されている。便蓋７０には円板１９１に向かって延びる係合ピン１９７が形成されている。円板１９１のスリット１９３と便蓋７０の係合ピン１９７とは互いに係合可能に構成されている。
【００８４】
規制部１９０の各構成は、規制部９０の各構成と対応している。具体的には、規制部１９０の円板１９１、出力軸固定孔１９２、スリット１９３、回転軸１９４、回転軸孔１９６、および係合ピン１９７は、規制部９０の円板９１、出力軸固定孔９２、スリット９３、回転軸９４、回転軸孔９６、および係合ピン９７にそれぞれ対応しており、各構成の接続関係や位置関係は同様である。
なお、便蓋７０に形成された回転軸孔１９６および係合ピン１９７は、便蓋７０に形成されていてもよいし、便蓋７０にヒンジのような別部材を設け、当該別部材に形成されていてもよい。
【００８５】
次に、便蓋７０の前後方向への移動、および規制部１９０による便蓋７０の移動の規制について説明する。
【００８６】
図１５に示すように、便蓋７０と機能部５１との間に隙間がないように便蓋７０が納まった状態においては、便座６０の先端６１は便器本体８０の先端８１よりも後方に下がっており、便蓋７０の先端７１と便器本体８０の先端８１とは前後方向における位置が略同一である。この状態では、便蓋７０の係合ピン１９７は、円板１９１のスリット１９３の前端と当接するようにして係合している。
【００８７】
図１６に示すように、便蓋回転出力モーターの出力軸１５４が回転を始めると、出力軸１５４に固定された円板１９１は、出力軸１５４の回転方向と同じ方向に出力軸１５４を中心として回動し始める。便蓋７０の回転軸孔１９６に円板１９１の回転軸１９４が挿入されて便蓋７０と円板１９１とが接続しているため、円板１９１の回動に伴って、円板１９１と便蓋７０とが摺動して便蓋７０が前方向に移動する。また、便蓋７０の係合ピン１９７は、円板１９１のスリット１９３の前端から後端に向かって相対的に移動する。
【００８８】
図１７に示すように、便蓋回転出力モーターの出力軸１５４がさらに回転を進めると、円板１９１は出力軸１５４の回転方向と同じ方向に出力軸１５４を中心としてさらに回動する。円板１９１の回動が進むにつれて、円板１９１と便蓋７０とが摺動しながら、便蓋７０がさらに前方向に移動する。また、便蓋７０の係合ピン１９７は、円板１９１のスリット１９３の前端から後端に向かってさらに相対的に移動し、係合ピン１９７はスリット１９３の後端に当接するまで移動する。便蓋７０の係合ピン１９７が円板１９１のスリット１９３の後端に当接すると、円板１９１と便蓋７０との摺動が止まり、便蓋７０の前方向への移動が止まる。
図１７に示すように、便蓋７０の係合ピン１９７が円板１９１のスリット１９３の後端に当接した状態においては、便蓋７０と機能部５１との間には所定の隙間が形成されている。
【００８９】
図１８および図１９に示すように、便蓋７０の係合ピン１９７が円板１９１のスリット１９３の後端に当接した状態で、便蓋回転出力モーターの出力軸１５４がさらに回転を進めると、円板１９１および係合ピン１９７は、出力軸１５４の回転方向と同じ方向に出力軸１５４を中心として回動する。係合ピン１９７が回動することで、係合ピン１９７が形成されている便蓋７０も回動し、便蓋７０は便座６０および便器本体８０に対して開いていく。図１９に示すように、やがて便蓋７０は便座６０および便器本体８０に対して完全に開いた状態となる。
【００９０】
図１７に示すように、便蓋７０の係合ピン１９７が円板１９１のスリット１９３の後端に当接した状態においては、便蓋７０と機能部５１との間には所定の隙間が形成されているため、便蓋７０の回動動作に機能部５１が干渉することがない。つまり、規制部１９０は、便蓋７０の前後方向への移動を規制し、便蓋７０の回動動作に機能部５１が干渉しない程度の隙間を形成するように便蓋７０を前方向に移動させる。
【００９１】
上記とは逆方向に便蓋回転出力モーターの出力軸１５４が回転することで、便蓋７０は便座６０および便器本体８０に対して閉じ、図１５に示すように便蓋７０と機能部５１との間に隙間を生じさせることなく便蓋７０が納まるように便蓋７０が後方向に移動する。
【００９２】
以上、本発明の実施形態および変形例について図面を参照して詳述したが、具体的な構成は実施形態および変形例に限られるものではなく、本発明の趣旨を逸脱しない範囲の構成の変更、組み合わせ、削除等も含まれる。
【００９３】
例えば、上記の第一実施形態では、トイレ装置１００が第１カウンター部２０および第２カウンター部３０の２つのカウンター部を備える例を説明したが、カウンター部の数はこれに限られない。例えば、カウンター部を１つとしてもよいし、３つ以上としてもよい。トイレ装置が配置される環境に応じて、最適な数のカウンター部を備えることができる。
【００９４】
例えば、上記の第一実施形態では、図１に示すように、トイレ部１０のカバー面６と、第１カウンター部２０の引き出し面２３と、第２カウンター部３０の引き出し面３３とが面一であり、便蓋３の前面３ｂと、第１カウンター部２０の前面２２と、第２カウンター部３０の前面３２とが面一である例を説明したが、これらの全ての面を面一としてもよい。広い空間にトイレ装置が設置される場合には、使用者が側方からトイレ装置を見る機会も多く、トイレ装置の前方を構成する面を全て面一とすることで、トイレ装置の外観をよりすっきりさせることができる。
【００９５】
例えば、上記の第二実施形態では、便座６０は便器本体８０に対して前後方向に移動可能であり、規制部９０によって便座６０の先端６１が便器本体８０の先端８１よりも前方に突出した状態が維持される例を説明したが、規制部によって便座の先端が便器本体の先端と一致した状態が維持されてもよい。この場合であっても、上記の第一実施形態の変形例と同様の効果を奏する。
【符号の説明】
【００９６】
１、１Ａ、５０    便座装置
２、６０    便座
３、７０    便蓋
４、４Ａ、９０、１９０    規制部
５、８０    便器本体
６    カバー面
７    前側立設部
８    後側立設部
９    接続バー
１０    トイレ部
１０Ａ、１００、２００、２００Ａ    トイレ装置
２０    第１カウンター部
３０    第２カウンター部
４１    第１リンク部材
４２    第２リンク部材
４３    固定軸
４４    第１ピン
４５    第２ピン
５１    機能部
５２    軸支部
５３    便座回転出力モーター
５４、１５４    出力軸
９１、１９１    円板
９２、１９２    出力軸固定孔
９３、１９３    スリット
９４、１９４    回転軸
９５    便座ヒンジ
９６、１９６    回転軸孔
９７、１９７    係合ピン
【図１】
2019170537.tif 000003
【図２】
2019170537.tif 000004
【図３】
2019170537.tif 000005
【図４】
2019170537.tif 000006
【図５】
2019170537.tif 000007
【図６】
2019170537.tif 000008
【図７】
2019170537.tif 000009
【図８】
2019170537.tif 000010
【図９】
2019170537.tif 000011
【図１０】
2019170537.tif 000012
【図１１】
2019170537.tif 000013
【図１２】
2019170537.tif 000014
【図１３】
2019170537.tif 000015
【図１４】
2019170537.tif 000016
【図１５】
2019170537.tif 000017
【図１６】
2019170537.tif 000018
【図１７】
2019170537.tif 000019
【図１８】
2019170537.tif 000020
【図１９】
2019170537.tif 000021